(57)【要約】【課題】  スイング及びインパクト時の手に加わる捻れを防止し、方向性を向上させると共に飛距離を増大させながら、ゴルフ規則に適合させる。【解決手段】  ゴルフグリップを硬質部２と軟質部３で構成し、その硬質部の中心軸線５をシャフトの軸線４に対しクラブヘッドのトー方向ｄに変芯させる。  この硬質部の変芯はグリップを握る事で軟質部が窪んだ状態となり、握った手が作り出す中心軸線が硬質部の変芯に近い状態となり、この握った手が作り出す中心軸線がクラブヘッドのスイートスポットと交差するように硬質部の中心軸線の変芯量を設定する。  更に、変芯させた硬質部の上に軟質部３を盛り、グリップの外形を横断面が円形となるようにし、膨らみやくびれがない形状とし、グリップの外周軸線をシャフトの軸線４と一致させる。  これにより、ゴルフ規則、付属規則ＩＩの３．グリップに適合させる。【選択図】図１
0003126159.tif 000002
【実用新案登録請求の範囲】
【請求項１】
ゴルフグリップを硬質部と軟質部で構成し、その硬質部の中心軸線をシャフトの軸線に対しクラブヘッドのトー方向に変芯させる。
この硬質部の変芯はグリップを握る事で軟質部が窪んだ状態となり、握った手が作り出す中心軸線が硬質部の変芯に近い状態となり、この握った手が作り出す中心軸線がクラブヘッドのスイートスポットと交差するように硬質部の中心軸線の変芯量を設定したゴルフグリップ。
尚、硬質部と軟質部は分離し表しているが連続し硬度を徐々に変化させたものでも軟質部が窪み、握った手が作り出す中心軸線がクラブヘッドのスイートスポットと交差するようになっていれば同様である。
又、軟質部が窪み、握った手が作り出す中心軸線がクラブヘッドのスイートスポットと交差するようになるものであれば特に硬質部の形状は問わない。
【請求項２】
前記の変芯させた硬質部の上に軟質部を盛り、グリップの外形を横断面が円形となるようにし、膨らみやくびれがない形状とし、グリップの外周軸線をシャフトの軸線と一致させる。
これにより、ゴルフ規則、付属規則ＩＩの３．グリップに適合させたゴルフグリップ。
【考案の詳細な説明】
【技術分野】
【０００１】  本考案はゴルフのプレーに使用するゴルフクラブ用グリップの構造に関する。
【背景技術】
【０００２】  従来よりゴルフグリップの軸線をクラブヘッドのスイートスポットと交差させる事により、スイング及びインパクト時に手に加わる捻れを防止し、方向性を向上させると共に捻れによるロスを無くし飛距離を増大させる事が知られており、特にゴルフパターではゴルフ規則においてクラブヘッドのどの部分にシャフトやネックを取り付けてもよい等の自由度が高く、容易にグリップの軸線をクラブヘッドのスイートスポットと交差させる事が出来る事から多くの製品に採用され、方向性の向上と距離を安定させる一般的に知られた技術であり、特開昭５４−７８２２７等が出願されている。【０００３】
【特許文献１】特開昭５４−７８２２７号公報
【考案の開示】
【考案が解決しようとする課題】
【０００４】  前述した通り、ゴルフグリップの軸線をクラブヘッドのスイートスポットと交差させる事は方向性の向上と飛距離を増大させると共に安定させる効果がある事は知られているものの、ゴルフ規則、付属規則ＩＩの２．クラブヘッドの取り付けの項にシャフトはクラブへッドのヒールに直接かまたは１つの単純なネック（またはソケット）を介して取り付けられなければならない。更に３．グリップの項にパター以外のクラブのグリップの軸線は、シャフトの軸線と一致しなければならないと、なっている為に規則上、通常のグリップでは軸線をクラブヘッドのスイートスポットと交差させる事は出来ない事から公式に使用する事が出来ないものである。
本考案は、ゴルフグリップの軸線をクラブヘッドのスイートスポットと交差させたのと同じ効果を発揮し、尚かつゴルフ規則に適合したゴルフグリップを提供するものである。
【課題を解決するための手段】
【０００５】  本考案の１はゴルフグリップを硬質部と軟質部で構成し、その硬質部の中心軸線をシャフトの軸線に対しクラブヘッドのトー方向に変芯させる。
このグリップを握る事で軟質部が窪んだ状態となり、握った手が作り出す中心軸線は硬質部の変芯に近い状態となります。この握った手が作り出す中心軸線がクラブヘッドのスイートスポットと交差するように硬質部の中心軸線の変芯量を設定する。
これにより本考案のグリップを握った場合、グリップの軸線をクラブヘッドのスイートスポットと交差させたものと同じ効果を得る事が出来る。尚、分かり易くする為に硬質部と軟質部は分離し表しているが連続し硬度を徐々に変化させたものでも前記の通り軟質部が窪み、握った手が作り出す中心軸線がクラブヘッドのスイートスポットと交差するようになるものも同様である。
又、これも分かり易くする為に硬質部の横断面を円形で表し、縦方向も凹凸がない様に表しているが前記同様に軟質部が窪み、握った手が作り出す中心軸線がクラブヘッドのスイートスポットと交差するようになるものであれば特に硬質部の形状は問わない。【０００６】  本考案の２は前記の変芯させた硬質部の上に軟質部を盛り、グリップの外形を横断面が円形となるようにし、膨らみやくびれがない形状とし、グリップの外周軸線をシャフトの軸線と一致させる。
これにより、ゴルフ規則、付属規則ＩＩの３．グリップに適合させる。
【考案の効果】
【０００７】  本考案の１は以上のような構成により、ゴルフグリップを握った手が作り出す中心軸線がクラブヘッドのスイートスポットと交差する事でスイング及びインパクト時に手に加わる捻れを防止し、それにより方向性を向上させると共に飛距離を増大させると共に安定させる事が出来る。【０００８】  本考案の２は前記の変芯させた硬質部の上に軟質部を盛り、グリップの外形を横断面が円形となるようにし、膨らみやくびれがない形状とし、グリップの外周軸線をシャフトの軸線と一致させる事により、ゴルフ規則、付属規則ＩＩの３．グリップに適合し、公式に使用する事が出来る。
【考案を実施するための最良の形態】
【０００９】  本考案についての実施例を図に沿って説明する。
ゴルフグリップを図１に示すようにゴルフグリップを硬質部２と軟質部３で構成し、その硬質部２の中心軸線５をシャフトの軸線４に対しクラブヘッドのトー方向に変芯するように、図２の通りにグリップの先端側断面（ａ）は図上側に位置するクラブヘッドのトー方向図１ｄ側に硬質部２を厚くし、グリップ中央断面（ｂ）は硬質部２を均等にし、グリップ元側（ｃ）はクラブヘッドのヒール方向図１ｅ側に硬質部２を厚くする。
このグリップを握る事で軟質部３が窪んだ状態となり、図３の通り握った手が作り出す中心軸線９は硬質部の硬質部２の変芯に近い状態となります。  この握った手が作り出す中心軸線９が図４に示すクラブヘッド１０のスイートスポット１１と交差するように硬質部２の中心軸線５の変芯量を設定したゴルフグリップある。【００１０】  尚、本考案は握った手が作り出す中心軸線９がクラブヘッド１０のスイートスポット１１と交差させる事が重要であり、図面では分かり易くする為に硬質部２と軟質部３は分離し表しているが連続し硬度を徐々に変化させたものでも前記の通り軟質部が窪み、握った手が作り出す中心軸線がクラブヘッドのスイートスポットと交差するようになっているものも同様である。
又、これも分かり易くする為に硬質部２の横断面を円形で表し、縦方向も凹凸がない様に表しているが前記同様に軟質部が窪み、握った手が作り出す中心軸線がクラブヘッドのスイートスポットと交差するようになるものであれば特に硬質部の形状は問わない。【００１１】  前記の変芯させた硬質部２の上に軟質部３を盛り、グリップの外周６の横断面が円形となるようにし、膨らみやくびれがない形状とし、グリップの外周６の軸線をシャフトの軸線４と一致させる。但し、ゴルフ規則、付属規則ＩＩの３．グリップに記載された様に節目がなく真っ直ぐで、少し盛り上がったリブを１本グリップの長さ全体にわたって組み入れ向きを判別出来るようにしてもよい。これにより、ゴルフ規則、付属規則ＩＩの３．グリップに適合させたゴルフグリップ。【００１２】  本考案のゴルフグリップをゴルフクラブのシャフトに装着し使用する際に握った手が作り出す中心軸線９がクラブヘッド１０のスイートスポット１１と交差する様に装着する事が必要である。その為には装着の向きに注意する事が必要であり、その向きが判別出来る表示等の工夫を行うか、少し盛り上がったリブを設け向きを判別出来るようにする。【００１３】  本考案のゴルフグリップはゴルフクラブの形態、寸法等により、硬質部２の硬質部中心軸線５をシャフトの軸線４に対し変芯させる変芯量が異なる為、数種の変芯量が異なるものを提供し、それぞれに適したものを選び使用する。
【図面の簡単な説明】
【００１２】
【図１】本考案のゴルフグリップの縦断面図である。
【図２】本考案のゴルフグリップの横断面図で断面位置はそれぞれ図２先端部（ａ）はａ、図２中央部（ｂ）はｂ、図２元側（ｃ）はｃとして図１に示す位置である。
【図３】本考案のゴルフグリップを手に持った使用状態の縦断面図である。
【図４】本考案のゴルフグリップを装着したゴルフクラブの全体の縦断面図である。（但し全長が長く、全てを描くと全体が小さくなる為、中間のシャフト部分を除く）
【符号の説明】
【００１３】  １…シャフト
２…硬質部
３…軟質部
４…シャフト軸線
５…硬質部中心軸線
６…グリップの外周
７…手
８…握った手の内面の延長線
９…握った手が作り出す中心軸線
１０…クラブヘッド
１１…スイートスポット
ａ…（ａ）の断面位置
ｂ…（ｂ）の断面位置
ｃ…（ｃ）の断面位置
ｄ…クラブヘッドのトー方向
ｅ…クラブヘッドのヒール方向
【図１】
0003126159.tif 000003
【図２】
0003126159.tif 000004
【図３】
0003126159.tif 000005
【図４】
0003126159.tif 000006
【手続補正書】
【提出日】平成18年7月12日(2006.7.12)
【手続補正１】
【補正対象書類名】実用新案登録請求の範囲
【補正対象項目名】全文
【補正方法】変更
【補正の内容】
【実用新案登録請求の範囲】
【請求項１】
ゴルフグリップを内側の硬質部と外側の軟質部で構成し、硬質部の中心軸線をシャフトの軸線に対しクラブヘッドのトー方向に傾けるが、軟質部の中心軸線はシャフトの軸線と一致させた事を特徴とするゴルフグリップ。